(57)【要約】【課題】  企業等の廃棄物を追跡し、処理工場まで適切に運搬され、廃棄されたことを証明する廃棄物処理追跡証明システムを提供することを目的とする。【解決手段】  識別情報読取装置で読み取った廃棄物を識別する廃棄物識別情報と作業進行状況の情報とを識別情報読取装置から受信し、携帯端末で撮像した証明画像を受信する作業進行情報受信手段と、識別情報読取装置又は廃棄物の運搬車両の位置を受信する位置情報受信手段と、作業進行状況の情報と、識別情報読取装置又は廃棄物の運搬車両の位置と、を記憶する作業進行情報記憶手段と、証明画像を記憶する証明画像記憶手段と、作業進行状況の情報、識別情報読取装置又は廃棄物の運搬車両の位置、証明画像のいずれか一以上を含む運搬完了証明書を作成し、依頼者に対して発行する証明書発行手段と、を有する廃棄物処理追跡証明システムである。【選択図】  図１
2006031135.tif 000002
【特許請求の範囲】
【請求項１】
廃棄物の運搬完了証明を行う廃棄物処理追跡証明システムであって、前記廃棄物処理追跡証明システムは、前記廃棄物に貼付された封印シールに記載される識別情報の読取が可能な識別情報読取装置と、撮像装置を有する携帯端末との間でデータの送受信が可能であり、
前記識別情報読取装置で読み取った廃棄物を識別する廃棄物識別情報と作業進行状況の情報とを前記識別情報読取装置から受信し、前記携帯端末で撮像した証明画像を受信する作業進行情報受信手段と、
前記識別情報読取装置又は前記廃棄物の運搬車両の位置を受信する位置情報受信手段と、
前記作業進行状況の情報と、前記識別情報読取装置又は前記廃棄物の運搬車両の位置と、を記憶する作業進行情報記憶手段と、
前記証明画像を記憶する証明画像記憶手段と、
前記作業進行状況の情報、前記識別情報読取装置又は前記廃棄物の運搬車両の位置、前記証明画像のいずれか一以上を含む運搬完了証明書を作成し、前記依頼者に対して発行する証明書発行手段と、
を有することを特徴とする廃棄物処理追跡証明システム。
【請求項２】
前記廃棄物処理追跡証明システムは、
前記作業進行情報記憶手段に記憶した位置情報に基づいて、予め定められた条件を満たした場合に、前記廃棄物を運搬する運搬車両の運転者又は所定の管理者に対して警告を通知する警告手段を、
更に有することを特徴とする請求項１に記載の廃棄物処理追跡証明システム。
【請求項３】
前記予め定められた条件として、
所定時間内に移動がない、所定時間内の移動距離が所定距離以下である、所定のルートから逸脱している、のいずれかを含む、
ことを特徴とする請求項２に記載の廃棄物処理追跡証明システム。
【請求項４】
前記作業進行情報受信手段は、
前記携帯端末に対して作業を識別する為の認証コードを送信し、
前記識別情報読取装置で読み取った前記認証コード、前記廃棄物識別情報、作業進行状況の情報、その時刻とを前記識別情報読取装置から受信し、
前記作業進行情報記憶手段は、
それらと前記位置情報とを対応づけて記憶する、
ことを特徴とする請求項１から請求項３のいずれかに記載の廃棄物処理追跡証明システム。
【請求項５】
前記位置情報受信手段は、
前記識別情報読取装置又は前記運搬車両に設けられたＧＰＳによる位置情報を受信する、
ことを特徴とする請求項１に記載の廃棄物処理追跡証明システム。
【請求項６】
前記廃棄物処理追跡証明システムは、前記依頼者の利用する依頼者端末との間で更にデータの送受信が可能であり、
前記依頼者端末から廃棄物回収依頼の情報を受信する回収依頼受信手段と、
前記回収依頼の情報を記憶する受注情報記憶手段と、
を更に有することを特徴とする請求項１から請求項５のいずれかに記載の廃棄物処理追跡証明システム。
【請求項７】
前記廃棄物処理追跡証明システムは、
前記依頼者端末から作業進行の問い合わせ要求を受信した場合、前記作業進行情報記憶手段に記憶した作業内容の情報とその時刻、位置とその時刻、前記証明画像記憶手段に記憶する証明画像とを抽出し、前記依頼者端末に送信する作業進行情報送信手段を、
更に有することを特徴とする請求項１から請求項６のいずれかに記載の廃棄物処理追跡証明システム。
【請求項８】
廃棄物に貼付する封印シールであって、前記封印シールには前記廃棄物を一意に識別する廃棄物識別情報が記載されている、
ことを特徴とする封印シール。
【請求項９】
廃棄物に貼付する封印シールであって、前記封印シールには前記廃棄物を一意に識別する廃棄物識別情報を記録したＲＦＩＤタグが取り付けられている、
ことを特徴とする封印シール。
【請求項１０】
前記封印シールは、
前記廃棄物の種類に応じて色、模様又は形状が異なる、
ことを特徴とする請求項８又は請求項９に記載の封印シール。
【請求項１１】
前記廃棄物識別情報は、前記廃棄物の種類を識別する桁と前記廃棄物を一意に識別する桁とを有する、
ことを特徴とする請求項８又は請求項９に記載の封印シール。
【発明の詳細な説明】
【技術分野】
【０００１】
本発明は、企業等の廃棄物を追跡し、処理工場まで適切に運搬され、廃棄されたことを証明する廃棄物処理追跡証明システムに関する。
【背景技術】
【０００２】
近年、個人情報漏洩が社会問題化しており、一般的には情報漏洩の８０％はその内部漏洩とされている。その為、企業に於けるゴミとして扱われる書類、ＣＤ−ＲＯＭ等の記録媒体（以下、廃棄物。尚、廃棄物は段ボール箱等の包装用容器に梱包されるので、廃棄物との記載には包装用容器に梱包された書類、記録媒体等も含まれる）の取り扱いは重要となっており、特に個人情報や機密情報が記載されている不要な書類、ＣＤ−ＲＯＭ等の記録媒体を確実に廃棄処理することが求められている。
【０００３】
しかし実際は、廃棄物の処理を廃棄物処理業者に委託した後は、依頼者である企業は殆ど関与しないのが通常である。その為、適式に廃棄されているかどうかを確認していない。
【０００４】
このような問題点がある為、下記特許文献１に開示の発明では、産業廃棄物の各処理工程に於いてその画像を閲覧可能とすることによって、その確認を企業が行えるようにしている。
【０００５】
【特許文献１】特開２００４−４６３１９号公報
【発明の開示】
【発明が解決しようとする課題】
【０００６】
しかし廃棄物、特に個人情報や機密情報が記載されている書類、記録媒体を廃棄する場合、処理工程のみならず、当該企業から処理工場（処分工場、リサイクル工場等）に到達するまでの運搬中に、個人情報、機密情報の書類や記録媒体を窃取する等の問題もあるが、上述の発明ではこのような場合についてまでは分からない。
【課題を解決するための手段】
【０００７】
そこで本発明者等は、廃棄物を集荷、荷下ろしをする際に廃棄物又はその包装容器を識別する識別情報を読み取り、証明画像の登録をすると共に、それらの運搬中に位置を追跡することで、運搬中の情報漏洩等の問題を防ぎ、従来より信頼性の高い運搬完了証明書の発行を可能とする、廃棄物処理追跡証明システムを発明した。
【０００８】
第１の発明は、廃棄物の運搬完了証明を行う廃棄物処理追跡証明システムであって、前記廃棄物処理追跡証明システムは、前記廃棄物に貼付された封印シールに記載される識別情報の読取が可能な識別情報読取装置と、撮像装置を有する携帯端末との間でデータの送受信が可能であり、前記識別情報読取装置で読み取った廃棄物を識別する廃棄物識別情報と作業進行状況の情報とを前記識別情報読取装置から受信し、前記携帯端末で撮像した証明画像を受信する作業進行情報受信手段と、前記識別情報読取装置又は前記廃棄物の運搬車両の位置を受信する位置情報受信手段と、前記作業進行状況の情報と、前記識別情報読取装置又は前記廃棄物の運搬車両の位置と、を記憶する作業進行情報記憶手段と、前記証明画像を記憶する証明画像記憶手段と、前記作業進行状況の情報、前記識別情報読取装置又は前記廃棄物の運搬車両の位置、前記証明画像のいずれか一以上を含む運搬完了証明書を作成し、前記依頼者に対して発行する証明書発行手段と、を有する廃棄物処理追跡証明システムである。
【０００９】
このように、廃棄物の運搬中についても、識別情報読取装置又はその運搬車両の現在位置の情報を取得することによって、従来よりもより信頼性の高い運搬完了証明を発行することが出来る。
【００１０】
又、前記廃棄物処理追跡証明システムは、前記作業進行情報記憶手段に記憶した位置情報に基づいて、予め定められた条件を満たした場合に、前記廃棄物を運搬する運搬車両の運転者又は所定の管理者に対して警告を通知する警告手段を、更に有していても良い。
【００１１】
そして予め定められた条件としては、所定時間内に移動がない、所定時間内の移動距離が所定距離以下である、所定のルートから逸脱している、のいずれかを含むと良い。
【００１２】
このように運搬中に不審な行動があった場合には、それを警告することによって、廃棄物からの情報漏洩等を防ぐことに繋がる。又、運転者に対してそのように監視されていることを告げれば、不審な行動を取ることを抑止することにも繋がる。
【００１３】
上述の廃棄物処理追跡証明システムに於いて、前記作業進行情報受信手段は、前記携帯端末に対して作業を識別する為の認証コードを送信し、前記識別情報読取装置で読み取った前記認証コード、前記廃棄物識別情報、作業進行状況の情報、その時刻とを前記識別情報読取装置から受信し、前記作業進行情報記憶手段は、それらと前記位置情報とを対応づけて記憶する、廃棄物処理追跡証明システムとしても良い。
【００１４】
このように認証コードを発行することで、容易に作業を識別することが出来、更に認証コードと廃棄物識別情報、作業進行状況の情報、時刻のように細かい情報を受信することで、より詳細な管理を行うことが出来る。
【００１５】
上述の廃棄物処理追跡証明システムに於いて、前記位置情報受信手段は、前記識別情報読取装置又は前記運搬車両に設けられたＧＰＳによる位置情報を受信する、廃棄物処理追跡証明システムとしても良い。
【００１６】
現在位置を取得するには様々な方法があるが、ＧＰＳによるものが好適である。ＧＰＳを用いることによって、詳細な位置情報を取得することが出来るからである。
【００１７】
上述の廃棄物処理追跡証明システムは、前記依頼者の利用する依頼者端末との間で更にデータの送受信が可能であり、前記依頼者端末から廃棄物回収依頼の情報を受信する回収依頼受信手段と、前記回収依頼の情報を記憶する受注情報記憶手段と、を更に有する廃棄物処理追跡証明システムとしても良い。
【００１８】
又、廃棄物処理追跡証明システムは、前記依頼者端末から作業進行の問い合わせ要求を受信した場合、前記作業進行情報記憶手段に記憶した作業内容の情報とその時刻、位置とその時刻、前記証明画像記憶手段に記憶する証明画像とを抽出し、前記依頼者端末に送信する作業進行情報送信手段を、更に有する廃棄物処理追跡証明システムとしても良い。
【００１９】
従来は、依頼者に対してリアルタイムで作業進行状況の情報提供を行っておらず、事後的に証明書の発行がなされているに過ぎない。そこで、このように構成することによって、リアルタイムでの依頼者への作業進行状況の情報提供が行える。
【００２０】
上述の廃棄物処理追跡証明システムに用いる封印シールは、廃棄物に貼付する封印シールであって、前記封印シールには前記廃棄物を一意に識別する廃棄物識別情報が記載されている封印シールである。
【００２１】
この封印シールは、上述のように直接廃棄物識別情報が記載されている他、前記封印シールには前記廃棄物を一意に識別する廃棄物識別情報を記録したＲＦＩＤタグが取り付けることによって実現しても良い。
【００２２】
単に廃棄物が開封されていないことを示す封印の他、廃棄物識別情報が記載されていることによって、識別情報読取装置を用いることによって、一意に廃棄物を識別することが出来る。
【００２３】
上述の封印シールは、前記廃棄物の種類に応じて色、模様又は形状が異なると良い。
【００２４】
外部から一目で廃棄物の種類を判断することが出来るからである。例えば書類の処理工場と記録媒体の処理工場とが異なる場合、その荷下ろし作業の際には各々適切な廃棄物を選択しなければならないが、特に機密書類、機密記録媒体等の場合には、その包装用容器を開封して内容物を確認することが出来ない。そこでこのように廃棄物の種類を外部から識別可能とすることによって、包装用容器を確認せずとも適切な廃棄物を選択し、荷下ろしをすることが出来る。これによって、機密情報の廃棄物処理に対する信頼性を高めることが出来る。
【００２５】
上述の廃棄物識別情報は、前記廃棄物の種類を識別する桁と前記廃棄物を一意に識別する桁とを有することとしても良い。
【００２６】
これによって廃棄物識別情報の分類が容易となる。
【発明の効果】
【００２７】
本発明によって、運搬中に於ける信頼性も確保した運搬完了証明書の発行を可能とする、廃棄物追跡証明システムが可能となる。
【発明を実施するための最良の形態】
【００２８】
本発明の廃棄物処理追跡証明システム１のシステム構成の一例を図１のシステム構成図に示す。廃棄物処理追跡証明システム１は、回収依頼受信手段２と受注情報記憶手段３と作業進行情報受信手段４と作業進行情報記憶手段５と証明画像記憶手段６と位置情報受信手段７と作業進行情報送信手段８と証明書発行手段９と警告手段１０とを有する。又、廃棄物処理追跡証明システム１は、ネットワーク１４を介して、廃棄物の回収依頼を行う企業等（企業の他、各種組織、団体、学校等が含まれ、個人も含まれる）が利用する依頼者端末１１、廃棄物を運搬する運転者が利用する識別情報読取装置１２と撮像装置を有する携帯端末１３との間で、データの送受信が可能である。
【００２９】
ネットワーク１４には、如何なる形態であっても良く、有線、無線の別も問わない。又、廃棄物処理追跡証明システム１と依頼者端末１１との間、廃棄物処理追跡証明システム１と識別情報読取装置１２との間のデータ通信は、図面では便宜上、同一のネットワーク１４で示しているが、異なる形態のネットワーク１４であっても良い。
【００３０】
回収依頼受信手段２は、ネットワーク１４を介して依頼者端末１１から廃棄物の回収依頼の情報を受信し、それを受注情報記憶手段３に記憶する手段である。依頼者端末１１から受信する回収依頼の情報としては、依頼者の名称、住所、電話番号、電子メールアドレス、廃棄物の個数や種類（書類か記録媒体かの材質の情報）がある。
【００３１】
受注情報記憶手段３は、回収依頼受信手段２で受信した回収依頼の情報を記憶する手段である。
【００３２】
作業進行情報受信手段４は、識別情報読取装置１２から受信した作業進行の情報と、携帯端末１３で撮像した証明画像とを受信する手段である。作業進行の情報としては、廃棄物を識別する識別情報（廃棄物識別情報２１）とその廃棄別を集荷した、或いは荷下ろしした等の作業内容の情報、それらを行った時刻の情報がある。この際に予め携帯端末１３に対して当該作業を識別する為の認証バーコードを作業進行情報受信手段４が送信し、識別情報読取装置１２で携帯端末１３に表示された認証バーコードを読み取った後、廃棄物に貼付された封印シール２０の廃棄物識別情報２１を識別情報読取装置１２で読み取り、作業内容の情報と作業時刻とを併せて識別情報読取装置１２から受信しても良い。
【００３３】
作業進行情報記憶手段５は、当該廃棄物に対する作業進行状況を記憶する手段であって、廃棄物識別情報２１と作業内容の情報、時刻、認証コード、前記廃棄物を読み取った識別情報読取装置１２の位置と時刻とを対応づけて記憶する手段である。又、後述する証明画像記憶手段６に記憶している証明画像のファイル名、位置等も対応づけて記憶している。
【００３４】
証明画像記憶手段６は、携帯端末１３で撮像した廃棄物処理の作業に対する証明画像を記憶する手段である。この証明画像は、集荷時（集荷証明画像）及び荷下ろし時（運搬証明画像）の少なくとも２以上の作業に於いて撮像され、記憶していると良い。
【００３５】
位置情報受信手段７は、ＧＰＳを内蔵する識別情報読取装置１２の現在位置（緯度、経度）の情報を取得し、それを作業進行情報記憶手段５に記憶させる手段である。
【００３６】
警告手段１０は、作業進行情報記憶手段５に記憶した位置情報に基づいて、所定の条件を満たした場合に、当該廃棄物を運搬する運搬車両の運転者或いは所定の管理者に対して、警告を行う手段である。例えば所定時間内（例えば１０分間）に移動がない、移動距離が所定距離以下である、所定のルートから逸脱した等を条件として、この条件を満たした場合には、運搬車両の運転者或いは所定の管理者に対して架電、電子メール等によって、警告を発する。これによって、運搬中の不審な動きを管理することが出来る。
【００３７】
作業進行情報送信手段８は、依頼者端末１１から作業進行の問い合わせ要求があった場合に、廃棄物識別情報２１、依頼者の名称等に基づいて、作業進行情報記憶手段５から作業内容の情報、時刻、識別情報読取装置１２の位置とその時刻と証明画像のファイル名、位置等を抽出する。そして、抽出した作業内容の情報、時刻、識別情報読取装置１２の位置とその時刻と、証明画像のファイル名、位置等に基づいて証明画像記憶手段６から抽出した証明画像とを、ネットワーク１４を介して依頼者端末１１に送信する手段である。
【００３８】
証明書発行手段９は、作業進行情報記憶手段５に記憶する作業情報の内容が、「運搬完了」となった場合、廃棄物処理が終了したことを示す運搬完了証明書を作成し、発行する手段である。この際に、作業進行情報記憶手段５に記憶した作業内容の情報と時刻、識別情報読取装置１２の位置と時刻、証明画像記憶手段６に記憶した証明画像とに基づいて、運搬完了証明書を作成する。即ち、何時何分にどの作業を行ったか、その際の証明画像、運搬中の位置と時刻とを示した証明書とする。図３に運搬完了証明書の一例を示す。
【００３９】
依頼者端末１１は、ネットワーク１４を介して廃棄物処理追跡証明システム１との間でデータの送受信が可能なコンピュータ端末である。
【００４０】
識別情報読取装置１２は、廃棄物を運搬する運転者が利用する装置であり、廃棄物に貼付する封印シール２０に記載された廃棄物識別情報２１を読み取る装置であって、読み取った情報をネットワーク１４を介して廃棄物処理追跡証明システム１に送信する装置である。好適には廃棄物識別情報２１はバーコードであり、識別情報読取装置１２はバーコードリーダーである。しかしこれらに限定するものではなく、ＲＦＩＤタグを封印シール２０に取り付け、そのＲＦＩＤタグに廃棄物識別情報２１を記録しておき、識別情報読取装置１２をＲＦＩＤタグの読取装置としても良い。又、識別情報読取装置１２には、ＧＰＳが内蔵されており、それによって取得した位置情報を廃棄物処理追跡証明システム１に送信する。
【００４１】
携帯端末１３は、廃棄物を運搬する運転者が利用する装置であり、廃棄物を撮像することが出来る撮像装置を有している。又、撮像装置で撮像した画像をネットワーク１４を介して廃棄物処理追跡証明システム１に送信する装置である。好適には撮像装置を有する携帯電話、ＰＨＳが該当する。尚、識別情報読取装置１２と携帯端末１３とを一体化し、一つの装置としても良い。
【００４２】
次に本発明の廃棄物処理追跡証明システム１の処理プロセスの流れの一例を図２のフローチャート図を用いて説明する。
【００４３】
依頼者には予め、一意の廃棄物識別情報２１が記載された封印シール２０（又は一意の廃棄物識別情報２１を記録したＲＦＩＤタグを取り付けた封印シール２０）を包装用容器（段ボール箱等）と共に配布しておく。この封印シール２０の一例を図４に示す。図４（ａ）は書類を包装用容器に梱包する場合の封印シール２０であり、図４（ｂ）は記録媒体を包装用容器に梱包する場合の封印シール２０である。この封印シール２０は、書類用、記録媒体用のように、用途に応じて色、模様又は形状を変えると良い。外部から一目で理解できるようにする為である。又、封印シール２０の裏面はシールとなっており、そのまま包装用容器に貼付できると良い。
【００４４】
このように色、模様又は形状等に差違を設けることで、外部から一目で廃棄物の種類を判断することが出来る。例えば書類の処理工場と記録媒体の処理工場とが異なる場合、その荷下ろし作業の際には各々適切な廃棄物を選択しなければならないが、特に機密書類、機密記録媒体等の場合には、その包装用容器を開封して内容物を確認することが出来ない。そこでこのように廃棄物の種類を外部から識別可能とすることによって、包装用容器を確認せずとも適切な廃棄物を選択し、荷下ろしをすることが出来る。これによって、機密情報の廃棄物処理に対する信頼性を高めることが出来る。
【００４５】
封印シール２０に記載された廃棄物識別情報２１の一例を図５に示す。廃棄物識別情報２１は、１３桁から構成されており、先頭１桁を機密書類か、機密記録媒体かを識別する情報とし、次の２桁を年号の下２桁とし、次の９桁を一意の識別情報とし、最後の１桁をチェック用としている。
【００４６】
依頼者である企業等は、廃棄する機密書類、機密記録媒体等を所定の包装用容器に梱包し（Ｓ１００）、封印シール２０を貼付する（Ｓ１１０）。
【００４７】
このようにして廃棄物を梱包した後、依頼者は依頼者端末１１から、廃棄物処理追跡証明システム１に対して、回収依頼の情報として、依頼者の名称、住所、電話番号、電子メールアドレス、廃棄物の個数や種類等の情報を入力する。又、事前に依頼者を識別する情報を付与されている場合には、その情報を名称、住所、電話番号、電子メールアドレスの代わりに入力する。
【００４８】
このようにして入力された回収依頼の情報を、回収依頼受信手段２は、ネットワーク１４を介して依頼者端末１１から受信し、それを受注情報記憶手段３に記憶する（Ｓ１２０）。この回収依頼に基づいて、廃棄物の運搬車両が当該依頼者の元に赴いて、廃棄物の集荷作業を開始する（Ｓ１３０）。
【００４９】
運搬車両の運転者は、廃棄物を集荷する際に、廃棄物処理追跡証明システム１の作業進行情報受信手段４から送信された、廃棄物処理作業を識別する為の認証バーコードを携帯端末１３で受信し、識別情報読取装置１２で当該認証バーコードを読み取った後、廃棄物に貼付された封印シール２０の廃棄物識別情報２１を識別情報読取装置１２で読み取る。そして、識別情報読取装置１２に於いて、作業内容として「集荷」と入力し、読み取った認証バーコード、廃棄物識別情報２１、作業内容の情報及びその時刻と共に、識別情報読取装置１２から廃棄物処理追跡証明システム１に対してネットワーク１４を介して送信する。
【００５０】
又、運転者は、集荷した際に当該廃棄物を集荷したことを証明する為の集荷証明画像を携帯端末１３の撮像装置を用いて撮像し、その集荷証明画像をネットワーク１４を介して廃棄物処理追跡証明システム１に送信する。集荷証明画像の一例を図７に示す。
【００５１】
このようにして集荷作業が行われる。
【００５２】
識別情報読取装置１２から送信された作業の進行状況の情報は、作業進行情報受信手段４が受信して、それを廃棄物識別情報２１と作業内容の情報、時刻、認証コード、前記廃棄物を読み取った識別情報読取装置１２の位置と時刻とを対応づけて記憶する。
【００５３】
一方、携帯端末１３から送信された集荷証明画像は、作業進行情報受信手段４が受信して、それを証明画像記憶手段６に記憶する。この証明画像のファイル名、位置等は、作業進行情報受信手段４が、作業進行情報記憶手段５にも記憶する。これによって、作業の進行状況とその状況に対する証明画像とを関連づけることが出来る。
【００５４】
集荷した廃棄物は、運搬車両により処理工場に運搬されるが、その間、識別情報読取装置１２に設けられたＧＰＳによって、自らの位置情報を識別情報読取装置１２が取得し、それを定期的（例えば１分毎）に識別情報読取装置１２から廃棄物処理追跡証明システム１に送信する。
【００５５】
この位置情報を位置情報受信手段７が受信し、時系列毎に作業進行情報記憶手段５に記憶する（Ｓ１４０）。そして作業進行情報記憶手段５に記憶した位置情報に基づいて、所定の条件を満たした場合に、当該廃棄物を運搬する運搬車両の運転者或いは所定の管理者に対して、警告手段１０は警告を行う。例えば所定時間内（例えば１０分間）に移動がない、移動距離が所定距離以下である、所定のルートから逸脱した等を条件として、この条件を満たした場合には、運搬車両の運転者或いは所定の管理者に対して架電、電子メール等によって、警告を発する。これによって、運搬中の不審な動きを管理することが出来る。
【００５６】
運搬車両が処理工場に到着すると、運転者は、廃棄物の荷下ろし作業を開始する（Ｓ１５０）。
【００５７】
運搬車両の運転者は、廃棄物を荷下ろしする際に、前記携帯端末１３で受信した認証バーコードを識別情報読取装置１２で読み取った後、廃棄物に貼付された封印シール２０の廃棄物識別情報２１を識別情報読取装置１２で読み取る。そして、識別情報読取装置１２から、作業内容として「運搬完了」と入力し、読み取った認証バーコード、廃棄物識別情報２１、作業内容の情報及びその時刻と共に、識別情報読取装置１２から廃棄物処理追跡証明システム１に対してネットワーク１４を介して送信する。
【００５８】
又、運転者は、荷下ろしした際に当該廃棄物を処理工場まで運搬したことを証明する為の運搬証明画像を携帯端末１３の撮像装置を用いて撮像し、その運搬証明画像をネットワーク１４を介して廃棄物処理追跡証明システム１に送信する。運搬証明画像の一例を図８に示す。
【００５９】
識別情報読取装置１２から送信された作業の進行状況の情報は、作業進行情報受信手段４が受信して、それを廃棄物識別情報２１と作業内容の情報、時刻、認証コード、前記廃棄物を読み取った識別情報読取装置１２の位置と時刻とを対応づけて記憶する。
【００６０】
一方、携帯端末１３から送信された運搬証明画像は、作業進行情報受信手段４が受信して、それを証明画像記憶手段６に記憶する。この証明画像のファイル名、位置等は、作業進行情報受信手段４が、作業進行情報記憶手段５にも記憶する。これによって、作業の進行状況とその状況に対する証明画像とを関連づけることが出来る。
【００６１】
運搬を行った後、廃棄物の処理が処理工場に於いて行われる（Ｓ１６０）。このように運搬終了後、証明書発行手段９は、作業進行情報記憶手段５に記憶する作業情報の内容が、「運搬完了」となった場合、廃棄物処理が終了したことを示す運搬完了証明書を作成し、発行する（Ｓ１７０）。この際に、作業進行情報記憶手段５に記憶した作業内容の情報と時刻、識別情報読取装置１２の位置と時刻、証明画像記憶手段６に記憶した証明画像とに基づいて、運搬完了証明書を作成する。即ち、何時何分にどの作業を行ったか、その際の証明画像、運搬中の位置と時刻とを示した運搬完了証明書（図３）とする。そして作成した運搬完了証明書は、受注情報記憶手段３に記憶した依頼者の電子メールアドレスに対して電子メールで、又は住所に対して郵送で送付する。
【００６２】
尚、運搬中に、依頼者が廃棄物の処理状況の知りたい場合には、依頼者端末１１から所定方法によってネットワーク１４を介して廃棄物処理追跡証明システム１にアクセスし、廃棄物識別情報２１、依頼者の名称、依頼者に付与された識別情報等を入力することで、作業進行の問い合わせ要求を行い、作業進行情報送信手段８がそれを受信する。
【００６３】
そして作業進行情報送信手段８は、作業進行情報記憶手段５及び証明画像記憶手段６から、廃棄物識別情報２１、依頼者の名称、依頼者に付与された識別情報等に基づいて、作業進行情報記憶手段５から作業内容の情報、時刻、識別情報読取装置１２の位置とその時刻と証明画像のファイル名、位置等を抽出する。そして、抽出した作業内容の情報、時刻、識別情報読取装置１２の位置とその時刻と、証明画像のファイル名、位置等に基づいて証明画像記憶手段６から抽出した証明画像とを、ネットワーク１４を介して依頼者端末１１に送信する。この一例を図６に示す。
【００６４】
尚、本実施例では、識別情報読取装置１２にＧＰＳを内蔵し、その位置情報を廃棄物処理追跡証明システム１で識別情報読取装置１２から受信しているが、運搬車両にＧＰＳを取り付け、その位置情報を廃棄物処理追跡証明システム１で受信することとしても良い。この場合、識別情報読取装置１２にＧＰＳは不要となる。
【００６５】
本発明に於ける各手段は、その機能が論理的に区別されているのみであって、物理上あるいは事実上は同一の領域を為していても良い。又、記憶手段には、データベース、データファイル等を用いることが出来るが、それらに限定するものではない。
【００６６】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【００６７】
この場合、記憶媒体から読み出されたプログラム自体が前記した実施態様の機能を実現することとなり、そのプログラムを記憶した記憶媒体は本発明を当然のことながら構成することになる。
【００６８】
プログラムを供給する為の記憶媒体としては、例えば磁気ディスク、ハードディスク、光ディスク、光磁気ディスク、磁気テープ、不揮発性のメモリカード等を使用することができる。
【００６９】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【００７０】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。 
【産業上の利用可能性】
【００７１】
上述の廃棄物処理追跡証明システムによって、運搬中に於ける信頼性も確保した運搬完了証明書の発行を可能とする、廃棄物追跡証明システムが可能となる。
【図面の簡単な説明】
【００７２】
【図１】本発明のシステム構成の一例を示したシステム構成図である。
【図２】本発明の処理プロセスの流れの一例を示したフローチャート図である。
【図３】運搬完了証明書の一例である。
【図４】封印シールの一例である。
【図５】封印シールに記載される廃棄物識別情報の一例である。
【図６】運搬中に依頼者から問い合わせがあった場合に表示する運搬状況を示す図である。
【図７】集荷証明画像の一例である。
【図８】運搬証明画像の一例である。
【符号の説明】
【００７３】
１：廃棄物処理追跡証明システム
２：回収依頼受信手段
３：受注情報記憶手段
４：作業進行情報受信手段
５：作業進行情報記憶手段
６：証明画像記憶手段
７：位置情報受信手段
８：作業進行情報送信手段
９：証明書発行手段
１０：警告手段
１１：依頼者端末
１２：識別情報読取装置
１３：携帯端末
１４：ネットワーク
２０：封印シール
２１：廃棄物識別情報
【図１】
2006031135.tif 000003
【図２】
2006031135.tif 000004
【図３】
2006031135.tif 000005
【図４】
2006031135.tif 000006
【図５】
2006031135.tif 000007
【図６】
2006031135.tif 000008
【図７】
2006031135.tif 000009
【図８】
2006031135.tif 000010